(57)【要約】【課題】液々熱交換器を必要とせず、製造コストを低減することが可能で、しかも、給湯装置に供給される水道水の水圧が変動した場合にも、ミストノズルから噴霧されるミストを洗い場に向けて適切に偏向させることが可能な浴用ミスト装置を提供する。【解決手段】ミスト噴霧開始指令手段と、ミストノズル４と、ミスト用湯水をミスト用給湯管路を経由してミストノズルに供給する給湯手段と、ミスト噴霧開始指令手段の操作によって、ミスト用湯水をミストノズル４からミスト状に噴出するミスト運転を実行する制御部とを備え、浴室２の洗い場２ａに隣接する浴槽７の上方の天井に設置された浴用ミスト装置において、ミストノズル４から噴霧されるミストの単位時間当たりの噴霧量が増加するのに伴って、ミストノズル４から噴霧されるミストを、洗い場２ａの存在位置側に偏向させて噴霧する。【選択図】図８
2018102360.tif 000002
【特許請求の範囲】
【請求項１】
ミスト噴霧の開始を指令するミスト噴霧開始指令手段と、
ミスト用湯水をミスト状に噴出するミストノズルと、
所定の温度に設定されたミスト用湯水を、ミスト用給湯管路を経由して前記ミストノズルに供給する給湯手段と、
前記ミスト噴霧開始指令手段の操作によって、前記給湯手段から供給される前記ミスト用湯水を前記ミストノズルからミスト状に噴出するミスト運転を実行する制御部と、を備え、
浴室の洗い場に隣接する浴槽の上方の天井に設置された浴用ミスト装置であって、
前記ミストノズルから噴霧されるミストの単位時間当たりの噴霧量が増加するのに伴って、前記ミストノズルから噴霧されるミストが、前記洗い場の存在位置側に偏向して噴霧されるように構成されていること
を特徴とする浴用ミスト装置。
【請求項２】
当該浴用ミスト装置が前記天井に設置された状態で、温風吹き出し口が前記ミストノズルに対し前記洗い場の存在位置側とは反対側の位置に配置され、
前記温風吹き出し口には、前記制御部によって回動角度が制御される可動ルーバが配設され、
前記ミスト用湯水の単位時間当たりの通流量を検出する流量センサを備えているとともに、
前記制御部により、前記流量センサの検出値が大きいほど、前記可動ルーバの吹き出し方向が、前記洗い場の存在位置側に偏向するように制御されること
を特徴とする請求項１記載の浴用ミスト装置。
【請求項３】
前記ミストノズルが複数個の個別ミストノズルからなるミストノズル群として構成されており、
前記ミストノズル群を構成する個別ミストノズルの数が３０個以上であること
を特徴とする請求項１または２記載の浴用ミスト装置。
【請求項４】
前記可動ルーバは、前記温風吹き出し口から吹き出される温風が通過する筒状部を備え、前記筒状部の前記温風が吹き出される開口部が平面視、その回動軸に沿う方向が長手方向となる細長い形状を有しているとともに、
前記ミストノズルは、前記可動ルーバの近傍に、前記可動ルーバの前記回動軸に沿う方向に複数個配設された個別ミストノズルからなる列状のミストノズル群として構成されていること
を特徴とする請求項１〜３のいずれかに記載の浴用ミスト装置。
【請求項５】
前記列状のミストノズル群を複数列備えていることを特徴とする請求項４記載の浴用ミスト装置。
【発明の詳細な説明】
【技術分野】
【０００１】
本発明は、浴用ミスト装置に関し、詳しくは、ミスト噴霧が開始が指令されると、給湯手段から供給されるミスト用湯水が、ミストノズルからミスト状に噴霧されるように構成された浴用ミスト装置に関する。
【背景技術】
【０００２】
近年、浴室でミストを噴霧することによりサウナ効果を得ることができるようにした浴用ミスト装置が普及するに至っている。
【０００３】
そのような浴用ミスト装置のひとつとして、特許文献１には、熱源手段から熱媒循環路を通して供給される熱媒により、給水路を通して供給される水を加熱する液々熱交換器を備え、該液々熱交換器において加熱された湯水をミスト噴出手段（例えばミストノズル）に供給するように構成された浴用ミスト装置が開示されている。
【０００４】
この浴用ミスト装置を用いることにより、液々熱交換器において適切な温度に加熱された湯水を、ミスト噴出手段からミスト状に噴出させて、手軽にミスト浴を楽しむことが可能になり有意義である。
【０００５】
また、特許文献１の浴用ミスト装置は、熱源手段から熱媒循環路を経て供給される熱媒により、浴室から吸い込んだ空気を加熱し、加熱された空気を浴室に吹き出して浴室を暖房する暖房機能を備えている。したがって、特許文献１の浴用ミスト装置を備えている場合、ミスト浴を楽しむとともに、快適な入浴を行うことが可能になる。
【０００６】
また、特許文献２には、ミスト噴出手段としてのミストノズルに隣接して、温風の吹き出し口となる可動ルーバが設けられたミスト噴霧装置が開示されている。このミスト噴霧装置において、可動ルーバは、ミスト噴霧装置に対して回動自在に支持されている。
【０００７】
特許文献２には特に詳しく説明されていないが、上記可動ルーバを、例えば使用者が存在する洗い場の方向に向けて回動させることで、ミストノズルから噴霧されるミストが、上記洗い場に向けて偏向されることになるものと考えられる。
【０００８】
この特許文献２のように構成することで、ミスト噴霧装置が例えば浴槽の真上に設置されている場合も、使用者が浴槽内にいるときに、ミストを浴びてしまうことを回避することが可能になる。
【先行技術文献】
【特許文献】
【０００９】
【特許文献１】特開２００３−３３４２３０号公報
【特許文献２】特開２０１４−０４５９２３号公報
【発明の概要】
【発明が解決しようとする課題】
【００１０】
しかしながら、特許文献１の浴用ミスト装置では、ミスト噴出部から冷たい水が噴出されることにより使用者に不快感を与えることを回避するように構成されているが、給水用流路を通流する水を加熱するための液々熱交換器が必要であるため、製造コストが増大するとともに、構造が複雑になり、装置の大型化を招くというような問題点がある。
【００１１】
また、特許文献２のミスト噴出装置においても液々熱交換器が用いられており、特許文献１の場合と同様の問題点がある。
【００１２】
これに対し、温水を供給する給湯装置から供給されるミスト用湯水を、ミスト用給湯管路を経由してミスト噴出手段からミスト状に噴出してミスト運転を実行するように構成して、液々熱交換器を不要にして、製造コストの低減を図ることが考えられる。
【００１３】
この場合、浴用ミスト装置にミスト用水を供給する給湯装置として貯湯式のボイラーを用いると、給湯装置が大型化してしまうため、省スペースの観点から、浴用ミスト装置にミスト用水を供給する給湯装置としては瞬間湯沸し器が用いられることになる。しかしながら、瞬間湯沸し器によって温水を得るようにした場合、瞬間湯沸し器には最低作動流量以上の水の通流が必要となるのが一般的である。
【００１４】
つまり、浴用ミスト装置にミスト用水を供給する給湯装置として瞬間湯沸し器を用いた場合、単位時間当たりのミスト噴霧流量を、該瞬間湯沸し器の最低作動流量以上としなければならないことになる。
【００１５】
瞬間湯沸し器の最低作動流量は、一般的に２．５リットル／ｍｉｎ以上である場合が多く、給湯装置における着火を確実にするためには、浴用ミスト装置の単位時間当たりのミスト噴霧流量は、３リットル／ｍｉｎ以上とすることが必要となる。
【００１６】
ところで、噴霧流量が、３リットル／ｍｉｎ以上と多くなると、ミストノズルに隣接して、温風の吹き出し口となる可動ルーバを設け、可動ルーバを使用者が存在する洗い場方向に向けて回動させることで、ミストノズルから噴霧されるミストを洗い場に向けて偏向させようとしても、ミストを十分に洗い場に向けて偏向させることができない場合が生じる。
【００１７】
そして、上述の特許文献２のミスト噴出装置の場合も同様の問題が生じるものと推測される。
【００１８】
また、給湯装置に供給される水道水の水圧が変動することで、ミストノズルから噴霧されるミストの単位時間当たりの流量が変動することが考えられる。その場合に、可動ルーバを用いてミストを偏向させるようにした特許文献２のミスト噴霧装置においては、ミストノズルから噴霧されるミストが洗い場に向けて偏向される度合いが、給湯装置に供給される水道水の水圧の変動によって変化するものと考えられる。したがって、給湯装置に供給される水道水の水圧が変動した場合、ミストノズルから噴霧されるミストが洗い場に向けて適切に偏向されないおそれが生じる。
【００１９】
本発明は、上記の課題を解決するものであり、液々熱交換器を必要とせず、製造コストを低減することが可能で、しかも、給湯装置に供給される水道水の水圧が変動した場合にも、ミストノズルから噴霧されるミストを洗い場に向けて適切に偏向させることが可能な浴用ミスト装置を提供することを目的とする。
【課題を解決するための手段】
【００２０】
上記の目的を達成するために、本発明の浴用ミスト装置は、
ミスト噴霧の開始を指令するミスト噴霧開始指令手段と、
ミスト用湯水をミスト状に噴出するミストノズルと、
所定の温度に設定されたミスト用湯水を、ミスト用給湯管路を経由して前記ミストノズルに供給する給湯手段と、
前記ミスト噴霧開始指令手段の操作によって、前記給湯手段から供給される前記ミスト用湯水を前記ミストノズルからミスト状に噴出するミスト運転を実行する制御部と、を備え、
浴室の洗い場に隣接する浴槽の上方の天井に設置された浴用ミスト装置であって、
前記ミストノズルから噴霧されるミストの単位時間当たりの噴霧量の増加に伴って、前記ミストノズルから噴霧されるミストを、前記洗い場の存在位置側に偏向して噴霧すること
を特徴としている。
【００２１】
本発明の浴用ミスト装置においては、
当該浴用ミスト装置が前記天井に設置された状態で、前記温風吹き出し口が前記ミストノズルに対し前記洗い場の存在位置側とは反対側の位置に配置され、
前記温風吹き出し口には、前記制御部によって回動角度が制御される可動ルーバが配設され、
前記ミスト用湯水の単位時間当たりの通流量を検出する流量センサを備えているとともに、
前記制御部により、前記流量センサの検出値が大きいほど、前記可動ルーバの吹き出し方向が、前記洗い場の存在位置側に偏向するように制御されることが好ましい。
【００２２】
前記ミストノズルが複数個の個別ミストノズルからなるミストノズル群として構成されており、
前記ミストノズル群を構成する個別ミストノズルの数が３０個以上であること
が好ましい。
【００２３】
また、前記可動ルーバは、前記温風吹き出し口から吹き出される温風が通過する筒状部を備え、前記筒状部の前記温風が吹き出される開口部が平面視、その回動軸に沿う方向が長手方向となる細長い形状を有しているとともに、
前記ミストノズルは、前記可動ルーバの近傍に、前記可動ルーバの前記回動軸に沿う方向に複数個配設された個別ミストノズルからなる列状のミストノズル群として構成されていること
が好ましい。
【００２４】
また、前記列状のミストノズル群を複数列備えていることが好ましい。
【発明の効果】
【００２５】
本発明の浴用ミスト装置は、上述のように、浴室の洗い場に隣接する浴槽の上方の天井に設置された浴用ミスト装置であって、給湯手段から供給されるミスト用湯水をミストノズルからミスト状に噴出するミスト運転を実行するように構成されているとともに、ミストノズルから噴霧されるミストの単位時間当たりの噴霧量が増加するのに伴って、ミストノズルから噴霧されるミストが、洗い場の存在位置側に偏向して噴霧されるように構成されているので、液々熱交換器を必要とせず、製造コストの低減を図ることが可能になるとともに、給湯装置に供給される水道水の水圧が変動した場合であってもミストノズルから噴霧されるミストを洗い場に向けて適切に偏向させることが可能で使い勝手のよい浴用ミスト装置を提供することが可能になる。
【００２６】
また、当該浴用ミスト装置が天井に設置された状態で、温風吹き出し口がミストノズルに対し洗い場の存在位置側とは反対側の位置に配置され、温風吹き出し口には可動ルーバが配設された構成とするとともに、ミスト用湯水の単位時間当たりの通流量を検出する流量センサを備え、かつ、制御部が、流量センサの検出値が大きいほど、可動ルーバの吹き出し方向、洗い場の存在位置側に偏向させるように構成した場合、給湯装置に供給される水道水の水圧が変動する場合にあっても、噴霧されるミストを確実に洗い場の存在位置側、すなわち、使用者がいる方向に確実に偏向させることが可能になり、本発明をより実効あらしめることができる。
【００２７】
また、例えば、省スペース上の理由により、給湯手段として瞬間湯沸し器を用い、該瞬間湯沸し器からミスト用湯水を供給するようにした場合、給湯装置の最低作動流量との兼ね合いから、ミスト噴霧量を多くすることが必要になるが、そのような場合に、ミストノズルを３０個以上備えた構成とすることにより、個々のミストノズルから噴霧されるミストの量を少なくすることが可能になり、良好なミストの噴霧感を与えることが可能な浴用ミスト装置を提供することが可能になる。
【００２８】
また、可動ルーバが、温風吹き出し口から吹き出される温風が通過する筒状部を備え、筒状部の温風が吹き出される開口部が平面視、その回動軸に沿う方向が長手方向となる細長い形状を有しているとともに、ミストノズルが、可動ルーバの近傍に、可動ルーバの回動軸に沿う方向に複数個配設された個別ミストノズルからなる列状のミストノズル群として構成されている場合、ミストノズル群から噴出されるミストをさらに効率よく、確実に意図する方向に偏向させることが可能になる。
【００２９】
また、列状のミストノズル群を複数列備えた構成とした場合、例えば、複数のミストノズル群のうち所定のミストノズル群からミストを噴出させることにより、ミスト噴き出し強度を複数段で変化させることが可能になり、本発明をより有意義なものにすることが可能になる。
【図面の簡単な説明】
【００３０】
【図１】本発明の一実施形態にかかる浴用ミスト装置の構成を示す縦断面図である。
【図２】本発明の一実施形態にかかる浴用ミスト装置の内部の配管を説明する管路図である。
【図３】本発明の一実施形態にかかる浴用ミスト装置を浴室に設置した状態の斜視図である。
【図４】本発明の一実施形態にかかる浴用ミスト装置の制御部のブロック図である。
【図５】本発明の一実施形態にかかる浴用ミスト装置が備える脱衣所用の操作器の正面図である。
【図６】本発明の一実施形態にかかる浴用ミスト装置が備える浴室内用の操作器の正面図である。
【図７】本発明の一実施形態にかかる浴用ミスト装置が備えるミストノズルの配設態様およびミストノズルと可動ルーバの位置関係を示す下面図である。
【図８】本発明の一実施形態にかかる浴用ミスト装置が備える可動ルーバの吹き出し方向が垂直方向に対し０度の方向に向いた状態を示す模式図である。
【図９】本発明の一実施形態にかかる浴用ミスト装置が備える可動ルーバの吹き出し方向が垂直方向に対し６５度の方向に向いた状態を示す模式図である。
【図１０】本発明の一実施形態にかかる浴用ミスト装置が備える可動ルーバの吹き出し方向が垂直方向に対し７５度の方向に向いた状態を示す模式図である。
【図１１】本発明の別実施形態にかかる浴用ミスト装置の内部の配管を説明する管路図である。
【発明を実施するための形態】
【００３１】
以下、本発明の実施形態を示して、その特徴とするところをさらに詳しく説明する。
【００３２】
［実施形態］
この実施形態にかかる浴用ミスト装置は、図１〜３に示すように、ユニットバスなどの浴室２に設置されるミスト機能付浴室暖房乾燥機（以下、単に「浴室暖房乾燥機Ａ」という）として構成されている。
【００３３】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴を実行する機能を備えている。
【００３４】
また、この浴室暖房乾燥機Ａを浴室２に設置するにあたっては、例えば、図３に示すように、浴槽７の上方の、浴室２の天井８に設置される。
【００３５】
なお、浴室暖房乾燥機Ａを浴室２に設置するにあたっては、ミストノズル４が、後述する可動ルーバ１８より洗い場２ａ側に位置するように設置される（図８〜図１０参照）。
【００３６】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００３７】
また、図１および図２に示すように、浴室暖房乾燥機本体９内には、温風用熱交換器１３および送風機１４（１４ａ，１４ｂ）が内装されている。
【００３８】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
なお、上述の熱源機（暖房用温水供給用熱源機）１６は、本発明の浴用ミスト装置における給湯手段を兼ねるように構成されている。
【００３９】
また、図１および図２に示すように、暖房用温水管路１５には温風用熱交換器１３への温水の供給を開閉する熱動弁（本発明の浴用ミスト装置における暖房用開閉弁）１７が設けられており、暖房用温水管路１５にはこの管路を流れる温水の温度を検出する暖房温水サーミスタＴＨ２が配設されている。
【００４０】
なお、熱源機１６で加熱された温水は、往き配管５１を経由して浴室暖房乾燥機Ａの往き配管接続部５２（図１）から浴室暖房乾燥機Ａに送り込まれ、浴室暖房乾燥機Ａの温風用熱交換器１３で放熱した後、浴室暖房乾燥機Ａが備える戻り配管接続部６２（図１）から戻り配管６１を経由して熱源機１６へ戻るように、往き配管５１と戻り配管６１とが配設されている。
【００４１】
図１に示すように、この実施形態にかかる浴室暖房乾燥機Ａにおいて、送風機１４は、浴室内空気を循環させる循環ファン１４ａと、浴室内空気を外部へ排出する換気ファン１４ｂとを備えた構成とされている。また、屋外への排気口の手前には、逆流を防止するための逆風止め５０を備えている。
【００４２】
さらに、浴室暖房乾燥機本体９の下面側には循環ファン１４ａで送風される空気を浴室２内に吹き出す温風吹き出し口３が設けられている。この温風吹き出し口３には可動ルーバ１８が回動可能に装着されており、可動ルーバ１８を回動することにより温風吹き出し口３の開閉、および、温風吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００４３】
なお、可動ルーバ１８は、後述するように制御部ＢがステッピングモータからなるルーバモータＭを駆動して、その回動角度が制御されるように構成されている。
【００４４】
また、この浴室暖房乾燥機Ａは、ミスト浴の機能を具備するためにミスト発生部１９が組み込まれている。ミスト発生部１９のミストノズル４は、グリル板１２の一部に配置されており、ミスト用給湯管路２０がミストノズル４に連通している。
【００４５】
ミストノズル４は、図１、図２に示すように、第１のミストノズル４ａと、第２のミストノズル４ｂを備えた構成とされている。
【００４６】
なお、第１のミストノズル４ａ、第２のミストノズル４ｂの手前には電磁弁などで構成されるミスト開閉弁２１ａ，２１ｂが設けられており、このミスト開閉弁２１ａ，２１ｂを開閉することにより、第１のミストノズル４ａ、第２のミストノズル４ｂから選択的に温水がミスト状に噴霧されるように構成されている。
【００４７】
そして、２つのミストノズル４（４ａ，４ｂ）の両方から温水のミストを噴霧すると、ミスト用給湯管路２０に６．０リットル／ｍｉｎの温水が通流し「強」に相当するミスト量でミストが噴霧され、２つのミストノズル４ａ，４ｂの一方から温水のミストを噴霧すると、ミスト用給湯管路２０に３．０リットル／ｍｉｎの温水が通流し「弱」に相当するミスト量でミストが噴霧されるように構成されている。
【００４８】
この実施形態の、浴用ミスト装置を備えた浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００４９】
ミスト用給湯管路２０には、本発明における給湯手段としても機能する熱源機１６から温水が供給されるように構成されており、入口側から順にストレーナ２２、給湯電磁弁２３が設けられている（図１、図２）。ただし、図３においては、給湯配管の図示は省略している。
なお、ミスト用湯水を、熱源機１６とは別に配設された給湯手段から供給するように構成することも可能である。
【００５０】
因みに、浴室暖房乾燥機Ａの取扱説明書には、給湯装置（を兼ねる熱源機１６）の出湯設定温度を４０℃から４８℃に設定するように記載されており、給湯装置（熱源機１６）からは、４０℃から４８℃の温水が供給されるように構成されている。
【００５１】
ミスト用給湯管路２０におけるミスト開閉弁２１ａ，２１ｂの上流側には、ミスト用給湯管路２０を流れる温水の温度を検出するミスト温度サーミスタＴＨ１が配設されている。
【００５２】
また、浴室暖房乾燥機Ａは、図３に示すように、浴室２外の脱衣所に設けた操作器（浴室外用の操作器）５や、浴室２内に設けた操作器（浴室内用の操作器）３０にてリモコン操作されるように構成されている。
【００５３】
また、図５に示すように、浴室外用（脱衣所用）の操作器５には、タイマー表示部３１、タイマー設定スイッチ３２、風向スイッチ３３、浴室外ミストサウナスイッチ３４、乾燥スイッチ６、暖房スイッチ３６、涼風スイッチ３７、換気スイッチ３８、停止スイッチ３９が設けられている。
【００５４】
さらに、浴室外ミストサウナスイッチ３４の上側には、ミストの強度を示す強ランプ３４ａおよび弱ランプ３４ｂが配設されている。強ランプ３４ａおよび弱ランプ３４ｂは、ミスト運転の開始報知手段としての機能を兼ね備えている。
【００５５】
また、図６に示すように、浴室内用の操作器３０には、状態表示部４０、浴室内ミストサウナスイッチ（ミスト噴霧開始指令手段）１３４、浴室内ミストスイッチ１４１、浴室内温度設定スイッチ１４２、浴室内暖房スイッチ１３６、浴室内涼風スイッチ１３７、浴室内風向スイッチ１３３、ミスト入浴時間計測用のストップウォッチのスタート／ストップスイッチ１４３、リセットスイッチ１４５、浴室内停止スイッチ１３９が設けられている。
【００５６】
さらに、浴室内用の操作器３０には、脱衣所用の操作器５の強ランプ（ＬＥＤ）３４ａ、弱ランプ（ＬＥＤ）３４ｂと同様に機能する強ランプ（ＬＥＤ）１３４ａ、弱ランプ（ＬＥＤ）１３４ｂが配設されている。
【００５７】
また、この実施形態にかかる浴室暖房乾燥機Ａにおいては、グリル板１２の吸い込み口１近傍に、吸気の湿度を検知する湿度検出手段２７（図１、図２）が配設されている。湿度検出手段２７としては、例えば、ＮＴＣサーミスタなどの感温素子で構成された湿度センサを用いることができる。
【００５８】
なお、湿度検出手段（湿度センサ）２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００５９】
また、図４は、浴室暖房乾燥機Ａの制御部Ｂの一例を示す図である。制御部Ｂには、メモリ２８、演算回路２９などが内蔵され、上記操作器５や浴室用操作器３０をリモコン操作することで制御部Ｂにて、以下に説明するような制御が行われるように構成されている。
【００６０】
＜特徴的構成＞
次に、この実施形態にかかる、浴用ミスト装置を備えた浴室暖房乾燥機Ａの特徴的な構成について説明する。
【００６１】
この実施形態にかかる、浴用ミスト装置を備えた浴室暖房乾燥機Ａでは、ミスト運転時にミスト用湯水をミスト状に噴出するミストノズル４は、図１、図２、図７に示すように、１個で０．２リットル／ｍｉｎ程度の流量で温水のミストを噴霧する個別ミストノズル４ａ0を１列に１５配設してなる第１のミストノズル（群）４ａと、１個で０．２リットル／ｍｉｎ程度の流量で温水のミストを噴霧する個別ミストノズル４ｂ0を１列に１５配設してなる第２のミストノズル（群）４ｂを備えた構成とされている。
【００６２】
すなわち、列状の第１のミストノズル（群）４ａと、列状の第２のミストノズル（群）４ｂとが、２列に並んで可動ルーバ１８の近傍に配設されている。
また、可動ルーバ１８は、温風吹き出し口３から吹き出される温風が通過する筒状部を備え、筒状部の温風が吹き出される開口部３ａが平面視、その回動軸に沿う方向が長手方向となる細長い形状を有している（図７参照）。
【００６３】
ただし、この実施形態では、第１のミストノズル４ａおよび第２のミストノズル４ｂが、それぞれ複数個（１５個）の個別ミストノズル４ａ0，４ｂ0から構成されているが、第１のミストノズル４ａおよび第２のミストノズル４ｂは、それぞれ一つの個別ミストノズルから構成されていてもよい。
【００６４】
図７を参照しつつ、第１および第２のミストノズル（群）４ａ，４ｂ、および、可動ルーバ１８の配設態様についてさらに具体的に説明する。
【００６５】
列状に配設された１５個の個別ミストノズル４ａ0からなる第１のミストノズル（群）４ａと、同じく列状に配設された１５個の個別ミストノズル４ｂ0からなる第２のミストノズル（群）４ｂは、可動ルーバ１８の回動軸に沿う方向、すなわち可動ルーバ１８の長手方向（図１における奥行き方向）に沿うように２列に配設されており、列状の第１のミストノズル（群）４ａは、列状の第２のミストノズル（群）４ｂよりも可動ルーバ１８から離れた位置に配設されており、第１のミストノズル（群）４ａと、可動ルーバ１８との間に位置するように、第２のミストノズル（群）４ｂが配設されている。
【００６６】
第１のミストノズル（群）４ａ，第２のミストノズル（群）４ｂと可動ルーバ１８とを、上述のような位置関係となるように配設することにより、後述するように、可動ルーバ１８の角度を制御することで、第１のミストノズル（群）４ａ，第２のミストノズル（群）４ｂから噴霧されるミストの噴霧の方向を、意図する方向に偏向させることが可能になる。
【００６７】
また、この実施形態にかかる浴室暖房乾燥機Ａは、上述のように、制御部Ｂ（図４）を備えており、ミスト運転を実行するにあたって、ルーバモータＭを駆動して、可動ルーバ１８の回動角度を以下のように制御しながらミスト運転を実行する。
【００６８】
ミスト運転は、ミスト噴霧の開始を指令する浴室外ミストサウナスイッチ（ミスト噴霧開始指令手段）３４（図５）の操作によって、給湯装置（この実施形態では熱源機１６）から供給されるミスト用湯水を、制御部Ｂが、ミスト用給湯管路２０を経由して第１のミストノズル（群）４ａ、第２のミストノズル（群）４ｂからミスト状に噴出させることにより実行される。
【００６９】
また、この実施形態において、ミスト運転は給湯装置から４０℃から４８℃の温水を供給することにより行われるが、浴室暖房乾燥機Ａは、ミスト用給湯管路２０を通流するミスト用湯水の温度を検出するミスト用湯水温度検出手段（ミスト温度サーミスタ）ＴＨ１（図１、図２）による検出温度が、所定の温度（例えば３８℃）に達したことを報知する報知手段を備えている。
【００７０】
また、この実施形態の浴室暖房乾燥機Ａにおいては、ミストサウナスイッチ（ミスト噴霧開始指令手段）３４を一度押し操作すると、制御部Ｂがミスト「強」運転を実行し、第１のミストノズル４ａおよび第２のミストノズル４ｂの両方から温水をミスト状に噴霧し、ミストサウナスイッチ３４の上に配置される強ランプ（ＬＥＤ）３４ａが点灯するように構成されている。
【００７１】
また、ミストサウナスイッチ（ミスト噴霧開始指令手段）３４を二度押し操作すると、制御部Ｂがミスト「弱」運転を実行し、第１のミストノズル４ａまたは第２のミストノズル４ｂのうちの一方（本実施形態では、ミストノズル４ａ）から温水をミスト状に噴霧し、ミストサウナスイッチ３４の上に配置される弱ランプ（ＬＥＤ）３４ｂが点灯するように構成されている。
【００７２】
すなわち、この浴室外ミストサウナスイッチ３４に配置される強ランプ３４ａおよび弱ランプ３４ｂは、上述のように、ミスト運転の開始報知手段としての機能を兼ね備えている。
【００７３】
また、室用の操作器３０には、脱衣所用の操作器５の強ランプ（ＬＥＤ）３４ａ、弱ランプ（ＬＥＤ）３４ｂと同様に機能する強ランプ（ＬＥＤ）１３４ａ、弱ランプ（ＬＥＤ）１３４ｂが配設されている。
【００７４】
そして、この実施形態の浴室暖房乾燥機Ａにおいては、ミスト用給湯管路２０を通流するミスト用湯水の単位時間当たりの流量を測定する流量センサＦＳを備えている（図１、図２、図４参照）。
【００７５】
この浴室暖房乾燥機Ａにおいて、ミスト運転を行うにあたっては、流量センサＦＳが検出する、ミスト用給湯管路２０を通流するミスト用湯水の単位時間当たりの流量Ｑに応じて、制御部Ｂが、ルーバモータＭを駆動して、可動ルーバ１８の回動角度を以下のように制御する。
【００７６】
なお、以下の説明において、可動ルーバ１８の吹き出し方向が垂直方向に対し０度の方向に向いた状態とは、可動ルーバ１８の吹き出し方向が、真下（鉛直方向）となる、図８に示す状態をいう。
【００７７】
ミスト用給湯管路２０を通流するミスト用湯水の単位時間当たりの流量Ｑ＝３リットル／ｍｉｎのとき、可動ルーバ１８の吹き出し方向が垂直方向に対し６５度ミストノズル４の方向に向いた、図９に示す状態となるように、制御部ＢがルーバモータＭを駆動して、可動ルーバ１８の回動角度を制御する。因みに、図９の状態では、可動ルーバ１８の吹き出し方向は、水平方向に対し２５度だけ下向きに偏向した状態となっている。
【００７８】
ミスト用給湯管路２０を通流するミスト用湯水の単位時間当たりの流量Ｑ＝６リットル／ｍｉｎのとき、可動ルーバ１８の吹き出し方向が垂直方向に対し７５度ミストノズル４の方向に向いた、図１０に示す状態となるように、制御部ＢがルーバモータＭを駆動して、可動ルーバ１８の回動角度を制御する。因みに、図１０に示す状態では、可動ルーバ１８の吹き出し方向は、水平方向に対し１５度だけ下向きに偏向した状態となっている。
【００７９】
ミスト用給湯管路２０を通流するミスト用湯水の単位時間当たりの流量Ｑが３リットル／ｍｉｎ、あるいは、６リットル／ｍｉｎ以外の値であるとき、制御部ＢがルーバモータＭを駆動して、可動ルーバ１８の回動角度θ（垂直方向に対するミストノズル４の方向に偏向する角度）は、下記の式（１）のように制御される。
θ＝３．３３３３・（Ｑ−３）＋６５    ……（１）
【００８０】
上述のように構成された、浴用ミスト装置を備えた浴室暖房乾燥機Ａは、ミスト噴霧量が多いほど、可動ルーバ１８がミストノズル４側に向くように可動ルーバ１８の回動角度が制御されるので、ミストノズル４から噴霧されるミストを、適切に洗い場２ａに向けて偏向させることができる。
【００８１】
また、上述のように構成された、浴用ミスト装置を備えた浴室暖房乾燥機Ａによれば、給湯装置（この実施形態では熱源機１６）に供給される水道水の水圧が変動した場合にも、ミストノズル４から噴霧されるミストを洗い場２ａに向けて適切に偏向させることが可能になる。
【００８２】
また、上述のように構成された、浴用ミスト装置を備えた浴室暖房乾燥機Ａは、ミストノズル４が、１５個の個別ミストノズル４ａ0からなる第１のミストノズル４ａと、１５個の個別ミストノズル４ｂ0からなる第２のミストノズル４ｂとを備えた構成とされており、複数個（３０個）の個別ミストノズル４ａ0、４ｂ0からミストが噴霧されることから、各個別ミストノズル４ａ0，４ｂ0から噴霧されるミストの量が少なくなり、良好な噴霧感を得ることができる。
【００８３】
また、上述の浴用ミスト装置を備えた浴室暖房乾燥機Ａでは、温水を供給する給湯装置から供給されるミスト用湯水が、ミスト用給湯管路２０を経由してミストノズル４からミスト状に噴出されることによりミスト運転が実行されるように構成されており、特許文献１や特許文献２の装置のように液々熱交換器を必要としないことから、製造コストを低減することが可能になる。
【００８４】
なお、上記実施形態では、第１のミストノズル（群）４ａからのミストの噴霧を発停するミスト開閉弁２１ａと、第２のミストノズル（群）４ｂからのミストの噴霧を発停するミスト開閉弁２１ｂとの二つのミスト開閉弁を格別に設けるようにしているが、図１１に示すように、一つのミスト開閉弁２１によって、第１のミストノズル（群）４ａおよび第２のミストノズル（群）４ｂからのミストの噴霧を同時に発停するように構成してもよい。
【００８５】
本発明は、上記実施形態に限定されるものではなく、発明の範囲内において種々の変形を加えることが可能である。
【符号の説明】
【００８６】
１        吸い込み口
２        浴室
２ａ      洗い場
３        温風吹き出し口
３ａ      開口部
４        ミストノズル
４ａ      第１のミストノズル（群）
４ｂ      第２のミストノズル（群）
４ａ0     第１のミストノズル（群）を構成する個別ミストノズル
４ｂ0     第２のミストノズル（群）を構成する個別ミストノズル
５        浴室外用（脱衣所用）の操作器
７        浴槽
９        浴室暖房乾燥機本体
１２      グリル板
１３      温風用熱交換器
１４      送風機
１４ａ    循環ファン
１４ｂ    換気ファン
１６      給湯手段を兼ねる熱源機（暖房用温水供給用熱源機）
１７      熱動弁（暖房用温水通流制御部）
１８      可動ルーバ
１９      ミスト発生部
２０      ミスト用給湯管路
２１ａ    ミスト開閉弁
２１ｂ    ミスト開閉弁
２２      ストレーナ
２３      給湯電磁弁
２７      湿度検出手段（湿度センサ）
２８      メモリ
２９      演算回路
３０      浴室内用の操作器
３１      浴室外用の操作器のタイマー表示部（時間表示部）
３４      浴室外用の操作器のミスト噴霧開始指令手段（浴室外ミストサウナスイッチ）
３４ａ    強ランプ
３４ｂ    弱ランプ
３８      浴室外用の操作部の換気スイッチ
４０      浴室内用の操作器の状態表示部
５０      逆風止め
５１      往き配管
５２      往き配管接続部
６１      戻り配管
６２      戻り配管接続部
１３４    浴室内用の操作器のミスト噴霧開始指令手段（浴室内ミストサウナスイッチ）
１３４ａ  強ランプ
１３４ｂ  弱ランプ
Ａ        浴室暖房乾燥機
Ｂ        制御部
ＴＨ１    ミスト用湯水温度検出手段（ミスト温度サーミスタ）
ＴＨ２    往き温水温度検出手段（暖房温水サーミスタ）
ＴＨ３    浴室温度検出手段（浴室温度サーミスタ）
【図１】
2018102360.tif 000003
【図２】
2018102360.tif 000004
【図３】
2018102360.tif 000005
【図４】
2018102360.tif 000006
【図５】
2018102360.tif 000007
【図６】
2018102360.tif 000008
【図７】
2018102360.tif 000009
【図８】
2018102360.tif 000010
【図９】
2018102360.tif 000011
【図１０】
2018102360.tif 000012
【図１１】
2018102360.tif 000013